(57)【要約】【課題】安定した高速書込みが可能であり、かつ黒輝度の上昇を抑え画像表示品質のよいプラズマディスプレイパネルの駆動方法を提供する。【解決手段】走査電極および維持電極とデータ電極との交差部に放電セルを形成してなるプラズマディスプレイパネルの駆動方法であって、１フィールド期間は複数のサブフィールドから構成され、複数のサブフィールドのうち画像表示を行う全ての放電セルに対して初期化放電を発生させる全セル初期化動作を行うサブフィールドの数を、表示すべき画像信号のＡＰＬにもとづいて切換え、全セル初期化動作を行うサブフィールドの数を切換える際にヒステリシス特性をもたせた。【選択図】図３
2005326611.tif 000002
【特許請求の範囲】
【請求項１】
走査電極および維持電極とデータ電極との交差部に放電セルを形成してなるプラズマディスプレイパネルの駆動方法であって、
１フィールド期間は複数のサブフィールドから構成され、
前記複数のサブフィールドのうち、画像表示を行う全ての放電セルに対して初期化放電を発生させる全セル初期化動作を行うサブフィールドの数を、表示すべき画像信号のＡＰＬにもとづいて切換えるように構成し、
かつ前記全セル初期化動作を行うサブフィールドの数を切換える際に、ヒステリシス特性をもたせたことを特徴とするプラズマディスプレイパネルの駆動方法。
【請求項２】
表示すべき画像信号のＡＰＬが低いときは全セル初期化動作を行う初期化期間を有するサブフィールドの数を減らし、前記ＡＰＬが高いときは前記全セル初期化動作を行う初期化期間を有するサブフィールドの数を増やすことを特徴とする請求項１に記載のプラズマディスプレイパネルの駆動方法。
【請求項３】
全セル初期化動作を行うサブフィールドの数を切換える毎に、切換え時のＡＰＬの値にもとづき、少なくとも全セル初期化動作を行うサブフィールドの数を減らすときの前記ＡＰＬに対するしきい値、または全セル初期化動作を行うサブフィールドの数を増やすときの前記ＡＰＬに対するしきい値のいずれかを設定しなおすことを特徴とする請求項１または請求項２に記載のプラズマディスプレイパネルの駆動方法。
【請求項４】
走査電極および維持電極とデータ電極との交差部に放電セルを形成してなるプラズマディスプレイパネルの駆動方法であって、
１フィールド期間は、放電セルに初期化放電を発生させる初期化期間、前記放電セルに書込み放電を発生させる書込み期間、および前記放電セルに輝度重みに応じた維持パルスを印加することにより維持放電を発生させる維持期間を有する複数のサブフィールドから構成され、
前記複数のサブフィールドの初期化期間は、画像表示を行う全ての放電セルに対して初期化放電を行わせる全セル初期化動作、または直前のサブフィールドにおいて維持放電を行った放電セルに対して選択的に初期化放電を行わせる選択初期化動作のいずれかの動作を行い、
かつ前記複数のサブフィールドのうち、全セル初期化動作を行うサブフィールドの数を、表示すべき画像信号のＡＰＬにもとづいて切換えるように構成するとともに、前記全セル初期化動作を行うサブフィールドの数を切換える際に、ヒステリシス特性をもたせたことを特徴とするプラズマディスプレイパネルの駆動方法。
【発明の詳細な説明】
【技術分野】
【０００１】
本発明はプラズマディスプレイパネルに関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。また、サブフィールド法の中でも、階調表示に関係しない発光を極力減らしてコントラスト比を向上した新規な駆動方法が特許文献１に開示されている。
【０００４】
図１０は特許文献１に記載された従来のパネルの駆動波形図である。以下、この駆動波形について説明する。１フィールド期間は、初期化期間、書込み期間および維持期間を有する８個のサブフィールドで構成されているものとし、それぞれ第１ＳＦ、第２ＳＦ、・・・、第８ＳＦと略記する。以下に説明するように、これら８個のサブフィールドのうち、第１ＳＦを除くサブフィールドでは、前のサブフィールドの維持期間中に点灯した放電セルでのみ初期化動作を行うようにしている。
【０００５】
第１ＳＦの初期化期間の前半部では、走査電極に緩やかに上昇するランプ電圧を印加することにより微弱放電を起こし、書込み動作に必要な壁電荷を各電極上に形成する。このとき後で壁電荷の最適化を図ることを見越して過剰に壁電荷を形成しておく。そして、つづく初期化期間の後半部では、走査電極に緩やかに下降するランプ電圧を印加することにより再び微弱放電を起こし、各電極上に過剰に蓄えられた壁電荷を弱め、各々の放電セルに対して適切な壁電荷に調整する。
【０００６】
第１ＳＦの書込み期間では、表示を行うべき放電セルにおいて書込み放電を起こす。そして、第１ＳＦの維持期間では、走査電極および維持電極に維持パルスを印加し、書込み放電を起こした放電セルにおいて維持放電を起こし、対応する放電セルの蛍光体層を発光させることにより画像表示を行う。
【０００７】
つづく第２ＳＦの初期化期間では、第１ＳＦの初期化期間の後半部と同様の駆動波形、すなわち走査電極に緩やかに下降するランプ電圧を印加する。これは、書込み動作に必要な壁電荷形成を維持放電と同時に行うために、初期化期間の前半部を独立に設ける必要がないためである。したがって、第１ＳＦにおいて維持放電を行った放電セルは微弱放電を起こし、各電極上に過剰に蓄えられた壁電荷を弱め、各々の放電セルに対して適切な壁電荷に調整する。また、維持放電を行わなかった放電セルは第１ＳＦの初期化期間終了時における壁電荷が保たれており、放電することはない。
【０００８】
このように、第１ＳＦの初期化動作は全ての放電セルを放電させる全セル初期化動作であり、第２ＳＦ以降の初期化動作は維持放電を行った放電セルのみ初期化する選択初期化動作である。したがって、表示に関係のない発光は第１ＳＦの初期化の微弱放電のみとなりコントラストの高い画像表示が可能となる。
【特許文献１】特開２０００−２４２２２４号公報
【発明の開示】
【発明が解決しようとする課題】
【０００９】
近年はパネルの高精細度化に伴い放電セル数が増加し、１つの放電セルに対する書込み動作に使える時間が短くなりつつある。また、動画擬似輪郭の改善等、画像表示品質を向上させるためにサブフィールド数を増加させる駆動方法が検討される等、今後ますます書込み動作の高速化が要求される。
【００１０】
ところで、全ての放電セルを初期化させる全セル初期化動作は上述したように書込み動作に必要な壁電荷を形成する働きをもつが、加えて、放電遅れを小さくし書込み放電を安定して発生させるためのプライミング（放電のための起爆剤＝励起粒子）を発生させるという働きをもあわせもつ。したがって、安定した高速書込み動作のためにはプライミングを増やすという方法が有効である。しかし、単純に全セル初期化の回数を増やすと黒輝度が上がってコントラストが低下し、画像表示品質が低下する。
【００１１】
本発明はこれらの課題に鑑みなされたものであり、安定した高速書込みが可能であり、かつ黒輝度の上昇を抑え画像表示品質のよいパネルの駆動方法を提供することを目的とする。
【課題を解決するための手段】
【００１２】
本発明のパネルの駆動方法は、走査電極および維持電極とデータ電極との交差部に放電セルを形成してなるプラズマディスプレイパネルの駆動方法であって、１フィールド期間は複数のサブフィールドから構成され、複数のサブフィールドのうち画像表示を行う全ての放電セルに対して初期化放電を発生させる全セル初期化動作を行うサブフィールドの数を、表示すべき画像信号のＡＰＬにもとづいて切換えるように構成し、かつ全セル初期化動作を行うサブフィールドの数を切換える際にヒステリシス特性をもたせたことを特徴とする。この方法により、安定した高速書込みが可能となり、かつ黒輝度の上昇を抑え画像表示品質のよいパネルの駆動方法を提供することができる。
【００１３】
また、本発明のパネルの駆動方法は、表示すべき画像信号のＡＰＬが低いときは全セル初期化動作を行う初期化期間を有するサブフィールドの数を減らし、ＡＰＬが高いときは全セル初期化動作を行う初期化期間を有するサブフィールドの数を増やすことを特徴とする。この方法により、輝度の高い領域があってもＡＰＬが低ければ黒表示領域の輝度が低くコントラストの高い画像表示が可能となる。
【００１４】
また、本発明のパネルの駆動方法は、全セル初期化動作を行うサブフィールドの数を切換える毎に、切換え時のＡＰＬの値にもとづき、少なくとも全セル初期化動作を行うサブフィールドの数を減らすときのＡＰＬに対するしきい値、または全セル初期化動作を行うサブフィールドの数を増やすときのＡＰＬに対するしきい値のいずれかを設定しなおすことを特徴とする。この方法により、入力された画像信号に適した全セル初期化動作回数の切換えしきい値を設定することができ、黒表示領域の輝度変化の頻度の少ない画像を得ることができる。
【００１５】
また、本発明のパネルの駆動方法は、走査電極および維持電極とデータ電極との交差部に放電セルを形成してなるプラズマディスプレイパネルの駆動方法であって、１フィールド期間が放電セルに初期化放電を発生させる初期化期間、放電セルに書込み放電を発生させる書込み期間、および放電セルに輝度重みに応じた維持パルスを印加することにより維持放電を発生させる維持期間を有する複数のサブフィールドから構成され、複数のサブフィールドの初期化期間は画像表示を行う全ての放電セルに対して初期化放電を行わせる全セル初期化動作または直前のサブフィールドにおいて維持放電を行った放電セルに対して選択的に初期化放電を行わせる選択初期化動作のいずれかの動作を行い、かつ複数のサブフィールドのうち、全セル初期化動作を行うサブフィールドの数を表示すべき画像信号のＡＰＬにもとづいて切換えるように構成するとともに、全セル初期化動作を行うサブフィールドの数を切換える際にヒステリシス特性をもたせた。この方法によっても安定した高速書込みが可能となり、かつ黒輝度の上昇を抑え画像表示品質のよいパネルの駆動方法を提供することができる。
【発明の効果】
【００１６】
本発明によれば、安定した高速書込みが可能であり、かつ黒輝度の上昇を抑え画像表示品質のよいパネルの駆動方法を提供することができる。
【発明を実施するための最良の形態】
【００１７】
以下、本発明の一実施の形態におけるパネルの駆動方法について、図面を用いて説明する。
【００１８】
（実施の形態１）
図１は本発明の実施の形態１に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。また、背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、たとえばネオンとキセノンの混合ガスが封入されている。
【００１９】
図２は本発明の実施の形態１におけるパネルの電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００２０】
図３は本発明の実施の形態１におけるパネルの駆動方法を使用するプラズマディスプレイ装置の構成図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０、ＡＰＬ（アベレージ・ピクチャ・レベル）検出部３０および電源回路（図示せず）を備えている。
【００２１】
図３において、画像信号ｓｉｇはＡＤ変換器１８に入力される。また、水平同期信号Ｈおよび垂直同期信号Ｖはタイミング発生回路１５、ＡＤ変換器１８、走査数変換部１９、サブフィールド変換部２０に入力される。ＡＤ変換器１８は、画像信号ｓｉｇをデジタル信号の画像データに変換し、その画像データを走査数変換部１９およびＡＰＬ検出部３０に出力する。ＡＰＬ検出部３０は画像データの平均輝度レベル、すなわちＡＰＬを検出する。走査数変換部１９は、画像データをパネル１の画素数に応じた画像データに変換し、サブフィールド変換部２０に出力する。サブフィールド変換部２０は、各画素の画像データを複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し各データ電極を駆動する。
【００２２】
タイミング発生回路１５は、水平同期信号Ｈおよび垂直同期信号Ｖをもとにしてタイミング信号を発生し、各々走査電極駆動回路１３および維持電極駆動回路１４に出力する。走査電極駆動回路１３は、タイミング信号にもとづいて走査電極ＳＣＮ１〜ＳＣＮｎに駆動波形を供給し、維持電極駆動回路１４は、タイミング信号にもとづいて維持電極ＳＵＳ１〜ＳＵＳｎに駆動波形を供給する。ここで、タイミング発生回路１５はＡＰＬ検出部３０から出力されるＡＰＬにもとづいて駆動波形を制御する。具体的には後述するように、ＡＰＬにもとづいて１フィールドを構成する各々のサブフィールドの初期化動作を全セル初期化動作か選択初期化動作かのいずれかに決定して、１フィールド内の全セル初期化動作の回数を制御する。
【００２３】
つぎに、パネルを駆動するための駆動波形とその動作について説明する。図４は本発明の実施の形態１におけるパネルの各電極に印加する駆動波形図であり、全セル初期化動作を行う初期化期間を有するサブフィールド（以下、「全セル初期化サブフィールド」と略記する）と選択初期化動作を行う初期化期間を有するサブフィールド（以下、「選択初期化サブフィールド」と略記する）に対する駆動波形図である。図４は説明のため第１ＳＦを全セル初期化サブフィールド、第２ＳＦを選択初期化サブフィールドとして示している。
【００２４】
まず、全セル初期化サブフィールドの駆動波形とその動作について説明する。
【００２５】
初期化期間では、データ電極Ｄ１〜Ｄｍおよび維持電極ＳＵＳ１〜ＳＵＳｎを０（Ｖ）に保持し、走査電極ＳＣＮ１〜ＳＣＮｎに対して放電開始電圧以下となる電圧Ｖｐ（Ｖ）から放電開始電圧を超える電圧Ｖｒ（Ｖ）に向かって緩やかに上昇するランプ電圧を印加する。すると、全ての放電セルにおいて１回目の微弱な初期化放電を起こし、走査電極ＳＣＮ１〜ＳＣＮｎ上に負の壁電圧が蓄えられるとともに維持電極ＳＵＳ１〜ＳＵＳｎ上およびデータ電極Ｄ１〜Ｄｍ上に正の壁電圧が蓄えられる。ここで、電極上の壁電圧とは電極を覆う誘電体層あるいは蛍光体層上に蓄積した壁電荷により生じる電圧をあらわす。その後、維持電極ＳＵＳ１〜ＳＵＳｎを正の電圧Ｖｈ（Ｖ）に保ち、走査電極ＳＣＮ１〜ＳＣＮｎに電圧Ｖｇ（Ｖ）から電圧Ｖａ（Ｖ）に向かって緩やかに下降するランプ電圧を印加する。すると、全ての放電セルにおいて２回目の微弱な初期化放電を起こし、走査電極ＳＣＮ１〜ＳＣＮｎ上の壁電圧および維持電極ＳＵＳ１〜ＳＵＳｎ上の壁電圧が弱められ、データ電極Ｄ１〜Ｄｍ上の壁電圧も書込み動作に適した値に調整される。このように、全セル初期化サブフィールドの初期化動作は全ての放電セルにおいて初期化放電させる全セル初期化動作である。
【００２６】
つづく書込み期間では、走査電極ＳＣＮ１〜ＳＣＮｎを一旦Ｖｓ（Ｖ）に保持する。つぎに、データ電極Ｄ１〜Ｄｍのうち１行目に表示すべき放電セルのデータ電極Ｄｋ（ｋ＝１〜ｍ）に正の書込みパルス電圧Ｖｗ（Ｖ）を印加するとともに、１行目の走査電極ＳＣＮ１に走査パルス電圧Ｖｂ（Ｖ）を印加する。このときデータ電極Ｄｋと走査電極ＳＣＮ１との交差部の電圧は、外部印加電圧（Ｖｗ−Ｖｂ）（Ｖ）にデータ電極Ｄｋ上の壁電圧および走査電極ＳＣＮ１上の壁電圧の大きさが加算されたものとなり、放電開始電圧を超える。そして、データ電極Ｄｋと走査電極ＳＣＮ１との間および維持電極ＳＵＳ１と走査電極ＳＣＮ１との間に書込み放電が起こり、この放電セルの走査電極ＳＣＮ１上に正の壁電圧が蓄積され、維持電極ＳＵＳ１上に負の壁電圧が蓄積され、データ電極Ｄｋ上にも負の壁電圧が蓄積される。このようにして、１行目に表示すべき放電セルで書込み放電を起こして各電極上に壁電圧を蓄積する書込み動作が行われる。一方、正の書込みパルス電圧Ｖｗ（Ｖ）を印加しなかったデータ電極と走査電極ＳＣＮ１との交差部の電圧は放電開始電圧を超えないので、書込み放電は発生しない。以上の書込み動作をｎ行目の放電セルに至るまで順次行い、書込み期間が終了する。
【００２７】
つづく維持期間では、まず、維持電極ＳＵＳ１〜ＳＵＳｎを０（Ｖ）に戻し、走査電極ＳＣＮ１〜ＳＣＮｎに正の維持パルス電圧Ｖｍ（Ｖ）を印加する。このとき書込み放電を起こした放電セルにおいては、走査電極ＳＣＮｉ上と維持電極ＳＵＳｉ上との間の電圧は維持パルス電圧Ｖｍ（Ｖ）に走査電極ＳＣＮｉ上および維持電極ＳＵＳｉ上の壁電圧の大きさが加算されたものとなり放電開始電圧を超える。そして、走査電極ＳＣＮｉと維持電極ＳＵＳｉとの間に維持放電が起こり、走査電極ＳＣＮｉ上に負の壁電圧が蓄積され、維持電極ＳＵＳｉ上に正の壁電圧が蓄積される。このときデータ電極Ｄｋ上にも正の壁電圧が蓄積される。書込み期間において書込み放電が起きなかった放電セルでは維持放電は発生せず、初期化期間の終了時における壁電圧状態が保持される。つづいて、走査電極ＳＣＮ１〜ＳＣＮｎを０（Ｖ）に戻し、維持電極ＳＵＳ１〜ＳＵＳｎに正の維持パルス電圧Ｖｍ（Ｖ）を印加する。すると、維持放電を起こした放電セルでは、維持電極ＳＵＳｉ上と走査電極ＳＣＮｉ上との間の電圧が放電開始電圧を超えるので再び維持電極ＳＵＳｉと走査電極ＳＣＮｉとの間に維持放電が起こり、維持電極ＳＵＳｉ上に負の壁電圧が蓄積され走査電極ＳＣＮｉ上に正の壁電圧が蓄積される。以降同様に、走査電極ＳＣＮ１〜ＳＣＮｎと維持電極ＳＵＳ１〜ＳＵＳｎとに交互に輝度重みに応じた維持パルスを印加することにより、書込み期間において書込み放電を起こした放電セルで維持放電が継続して行われる。なお、維持期間の最後には走査電極ＳＣＮ１〜ＳＣＮｎと維持電極ＳＵＳ１〜ＳＵＳｎとの間にいわゆる細幅パルスを印加して、データ電極Ｄｋ上の正の壁電荷を残したまま、走査電極ＳＣＮ１〜ＳＣＮｎおよび維持電極ＳＵＳ１〜ＳＵＳｎ上の壁電圧を消去している。こうして維持期間における維持動作が終了する。
【００２８】
つづいて選択初期化サブフィールドの駆動波形とその動作について説明する。
【００２９】
初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電圧を印加する。すると前のサブフィールドの維持期間で維持放電を行った放電セルでは微弱な初期化放電が発生し、走査電極ＳＣＮｉ上および維持電極ＳＵＳｉ上の壁電圧が弱められ、データ電極Ｄｋ上の壁電圧も書込み動作に適した値に調整される。一方、前のサブフィールドで書込み放電および維持放電を行わなかった放電セルについては放電することはなく、前のサブフィールドの初期化期間終了時における壁電荷状態がそのまま保たれる。このように、選択初期化サブフィールドの初期化動作は前のサブフィールドで維持放電を行った放電セルにおいて初期化放電させる選択初期化動作である。
【００３０】
書込み期間および維持期間については全セル初期化サブフィールドの書込み期間および維持期間と同様であるため説明を省略する。
【００３１】
つぎに、本発明の実施の形態１におけるパネルの駆動方法のサブフィールド構成について説明する。実施の形態１においては、１フィールドを１０のサブフィールド（第１ＳＦ、第２ＳＦ、・・・、第１０ＳＦ）に分割し、各サブフィールドはそれぞれ（１、２、３、６、１１、１８、３０、４４、６０、８０）の輝度重みをもつものとして説明するが、サブフィールド数や各サブフィールドの輝度重みが上記の値に限定されるものではない。
【００３２】
図５は、本発明の実施の形態１におけるパネルの駆動方法のサブフィールド構成を示す図であり、表示すべき画像信号のＡＰＬにもとづいてサブフィールド構成を切換えている。図５（ａ）は、ＡＰＬが９％未満の画像信号時に使用する構成であり、第１ＳＦの初期化期間のみ全セル初期化動作を行い、第２ＳＦ〜第１０ＳＦの初期化期間は選択初期化動作を行うサブフィールド構成である。図５（ｂ）は、ＡＰＬが５％以上１７％未満の画像信号時に使用する構成であり、第１ＳＦおよび第４ＳＦは全セル初期化サブフィールド、第２ＳＦ、第３ＳＦと第５ＳＦ〜第１０ＳＦは選択初期化サブフィールドとなっている。図５（ｃ）は、ＡＰＬが１３％以上の画像信号時に使用する構成であり、第１ＳＦ、第４ＳＦ、第６ＳＦは全セル初期化サブフィールド、第２ＳＦ、第３ＳＦ、第５ＳＦ、第７ＳＦ〜第１０ＳＦは選択初期化サブフィールドとなっている。表１に上述のサブフィールド構成とＡＰＬとの関係を示した。
【００３３】
【表１】
2005326611.tif 000003
【００３４】
表１に示すように、ＡＰＬの値と全セル初期化動作回数は必ずしも１対１に対応しているのではなく、ＡＰＬの値だけでは全セル初期化動作回数の決まらない範囲がある。たとえば、ＡＰＬが５％〜９％の範囲では全セル初期化動作回数は１回か２回のいずれかであり、ＡＰＬが１３％〜１７％の範囲では全セル初期化動作回数は２回か３回のいずれかである。これは、ＡＰＬにもとづいて全セル初期化動作回数を切換えるときにヒステリシス特性をもたせているからである。具体的には、ＡＰＬが減少し全セル初期化動作回数を３回から２回に減らす際には、ＡＰＬが１７％未満になったときに全セル初期化動作回数を減らすのではなくＡＰＬが１３％未満になったときに３回から２回に減らす。全セル初期化動作回数を２回から１回に減らす際も同様に、ＡＰＬが５％未満になったときに減らす。逆に、ＡＰＬが増加し全セル初期化動作回数を１回から２回に増やす際には、ＡＰＬが５％以上になったときに増やすのではなくＡＰＬが９％以上になったときに１回から２回に増やす。全セル初期化動作回数を２回から３回に増やす際も同様に、ＡＰＬが１７％以上になったときに増やす。
【００３５】
図６は、画像信号のＡＰＬの変化の一例とそのときの初期化回数の変化をあらわす図である。この例ではフレーム毎のＡＰＬが４０、２０、１０、５、４、６、５、７、５、３、・・・（％）と変化しているが、もし、ＡＰＬの変動に連動して全セル初期化動作回数が頻繁に変動すると、本来一定であるべき黒表示領域の輝度が頻繁に変動することとなり画像表示品質を低下させてしまう。ところが全セル初期化サブフィールドの数を切換える際に表１に示したようなヒステリシス特性をもたせることにより、全セル初期化動作回数が３、３、２、２、１、１、１、１、１、１、・・・（回）となって、黒表示領域の輝度変化の頻度を少なくすることができる。
【００３６】
このような画像信号としては決して特殊なものではなく、たとえば、暗いステージ上でスポットライトを浴びた歌手の画像や黒い画面上で白い文字がスクロールする画像等、比較的表示頻度の高い画像である。そして、このように、全セル初期化動作回数を切換えるときにヒステリシス特性をもたせることにより、上述のような画像であっても初期化回数が頻繁に変化しなくなるので黒表示領域の輝度が頻繁に変動することを防ぐことができる。
【００３７】
さらに、表１に示したように、ＡＰＬの高い画像表示時においては黒表示領域が無いかわずかの面積であると考えられるので、全セル初期化サブフィールドの数を増やしプライミングを増やすことによって放電の安定化を図っている。逆に、ＡＰＬの低い画像表示時においては黒の画像表示領域が広いと考えられるため全セル初期化サブフィールドの数を減らし、黒表示品質を向上している。したがって、輝度の高い領域があってもＡＰＬが低ければ黒表示領域の輝度が低くコントラストの高い画像表示が可能となる。
【００３８】
なお、実施の形態１においては全セル初期化動作回数を減少させる場合のＡＰＬのしきい値と、全セル初期化動作回数を増加させる場合のＡＰＬのしきい値とを異ならせることによってヒステリシス特性をもたせたが、ヒステリシス特性をもたせる方法はこれに限定されるものではない。以下に、ヒステリシス特性をもたせるための他の方法として、実施の形態２について説明する。
【００３９】
（実施の形態２）
表２は、本発明の実施の形態２におけるパネルの駆動方法のサブフィールド構成とＡＰＬとの関係を示す表であり、表示すべき画像信号のＡＰＬにもとづいてサブフィールド構成を切換えている。ＡＰＬが６％未満の画像信号時には、第１ＳＦの初期化期間のみ全セル初期化動作を行い、第２ＳＦ〜第１０ＳＦの初期化期間は選択初期化動作を行うサブフィールド構成である。ＡＰＬが６％以上１５％未満の画像信号時には、第１ＳＦおよび第４ＳＦの初期化期間が全セル初期化動作、第２ＳＦ、第３ＳＦと第５ＳＦ〜第１０ＳＦの初期化期間は選択初期化動作を行うサブフィールド構成となっている。ＡＰＬが１５％以上の画像信号時には、第１ＳＦ、第４ＳＦ、第６ＳＦは全セル初期化サブフィールド、第２ＳＦ、第３ＳＦ、第５ＳＦ、第７ＳＦ〜第１０ＳＦは選択初期化サブフィールド構成となっている。すなわち、ＡＰＬに対して２つのしきい値６％、１５％が存在し、ＡＰＬがしきい値６％未満の場合は１回、しきい値６％以上、しきい値１５％未満の場合には２回、しきい値１５％以上の場合には３回の全セル初期化動作を行うサブフィールド構成となっている。なお、以下に２つのしきい値６％、１５％をそれぞれしきい値ＴＨ１、しきい値ＴＨ２と記する。
【００４０】
【表２】
2005326611.tif 000004
【００４１】
しかしながら、このように、ＡＰＬの値と全セル初期化動作回数が１対１に対応している場合には、全セル初期化動作回数を切換えるしきい値付近でＡＰＬが頻繁に変化すると黒表示領域の輝度も頻繁に変動し、画像表示品質を著しく低下させてしまう。たとえばＡＰＬがしきい値ＴＨ１付近で５、６、５、６、・・・（％）と変化すると全セル初期化動作回数が１、２、１、２、・・・（回）と頻繁に切換わり、本来一定であるべき黒表示領域の輝度も頻繁に変動するので見苦しい画像となってしまう。そこで、実施の形態２においては、ＡＰＬに対して全セル初期化動作回数の切換えを禁止する禁止帯をＡＰＬに対して設定することにより全セル初期化動作回数の頻繁な切換えを禁止している。
【００４２】
図７は本発明の実施の形態２におけるパネルの駆動方法を使用するプラズマディスプレイ装置の構成図である。実施の形態２におけるプラズマディスプレイ装置は、実施の形態１と同様、パネル１、データ電極駆動回路１２、走査電極駆動回路１３、維持電極駆動回路１４、タイミング発生回路１５、ＡＤ変換器１８、走査数変換部１９、サブフィールド変換部２０、ＡＰＬ検出部３０を備えている。実施の形態１と異なるところは、タイミング発生回路１５の内部に、参照ＡＰＬの値を保持する参照ＡＰＬ保持部４２、ＡＰＬの切換え禁止帯の幅を保持する禁止幅保持部４４を備えている点である。
【００４３】
参照ＡＰＬ保持部４２は、ＡＰＬの値にもとづいて全セル初期化動作回数が切換えられた際、そのときのＡＰＬの値を参照ＡＰＬとして保持する。すなわち、全セル初期化の回数が切換わる毎に切換わった最初のフィールドのＡＰＬを保持する。禁止幅保持部４４は、ＡＰＬの値にもとづいて全セル初期化の回数が切換えられた際、全セル初期化の回数に対してあらかじめ決められている禁止幅の値を保持する。
【００４４】
つぎに、全セル初期化動作回数を切換えるときの動作について説明する。図８は、本発明の実施の形態２においてタイミング発生回路１５がサブフィールド構成を決めるときの動作を示すフローチャートである。
【００４５】
まず、タイミング発生回路１５は、１フィールドのＡＰＬの値を入力する（Ｓ１１）。つぎに、入力したＡＰＬと参照ＡＰＬ保持部４２に保持されている参照ＡＰＬ（以下、「Ａｒｅｆ」と略記する）との差の絶対値|ＡＰＬ−Ａｒｅｆ|を計算する（Ｓ１２）。そして差の絶対値|ＡＰＬ−Ａｒｅｆ|と禁止幅保持部４４に保持されている禁止幅Ｂｗとを比較する。このとき|ＡＰＬ−Ａｒｅｆ|＜Ｂｗであれば全セル初期化動作回数の切換えは行わない（Ｓ１３）。|ＡＰＬ−Ａｒｅｆ|≧Ｂｗであれば、入力したＡＰＬとＡＰＬのしきい値とを比較して全セル初期化動作回数を決定する。実施の形態２においては表２に示したように、全セル初期化動作回数を１回〜３回の範囲で制御し、ＡＰＬがしきい値ＴＨ１未満の場合は１回、しきい値ＴＨ１以上、しきい値ＴＨ２未満の場合には２回、しきい値ＴＨ２以上の場合には３回の全セル初期化を行うサブフィールド構成とする。さらに参照ＡＰＬ保持部４２の内容Ａｒｅｆを新たに入力したＡＰＬの値に更新する（Ｓ１４）。
【００４６】
つぎに、所定の全セル初期化動作回数を実現するための各タイミングパルスを発生する（Ｓ１５）。
【００４７】
図９は、画像信号のＡＰＬの変化の一例とそのときの全セル初期化動作回数の変化をあらわす図である。この例ではフレーム毎のＡＰＬが４０、２０、１０、５、４、６、５、７、５、３、・・・（％）と変化しているが、もし、ＡＰＬの切換え禁止帯を設けない場合には、全セル初期化動作回数が３、３、２、１、１、２、１、２、１、１、・・・（回）となり、本来一定であるべき黒表示領域の輝度が頻繁に変動して画像表示品質を低下させてしまう。ところがＡＰＬの切換え禁止帯を設け、Ｂｗ＝２．５％（実際の禁止幅は±２．５％）とした場合には、全セル初期化動作回数が３、３、２、１、１、１、１、１、１、１、・・・（回）となって、黒表示領域の輝度変化の頻度を少なくすることができる。
【００４８】
実施の形態２における全セル初期化動作回数の切換え制御は、最初に全セル初期化動作回数が切換わったときのＡＰＬの値を中心にＡＰＬの切換え禁止帯を設けている。つまり実質的な全セル初期化動作回数の切換えしきい値は画像のＡＰＬに応じてそのつど設定されることになる。すなわち、全セル初期化サブフィールドの数を切換える毎に、切換え時のＡＰＬの値にもとづき、全セル初期化動作を行うサブフィールドの数を減らすときのＡＰＬに対するしきい値、全セル初期化動作を行うサブフィールドの数を増やすときのＡＰＬに対するしきい値を設定しなおしている。したがって、たとえばＡＰＬの低い画像信号が入力された場合、その画像信号に適した実質的な全セル初期化動作回数の切換えしきい値が設定されることになり、全セル初期化動作回数の切換え回数を抑制し、黒表示領域の輝度変化の頻度の少ない画像を得ることができる。
【００４９】
なお、実施の形態２においては、禁止幅Ｂｗとして、Ｂｗ＝２．５％としたが、全セル初期化が１回と２回の変化や２回と３回の変化で異なる禁止幅Ｂｗを設定してもよい。また全セル初期化２回に対して全セル初期化が３回から２回に減少した場合と、１回から２回に増加した場合について異なる値を設定してもよい。さらに、全セル初期化動作を行うサブフィールドの数を減らすときのＡＰＬに対するしきい値、または全セル初期化動作を行うサブフィールドの数を増やすときのＡＰＬに対するしきい値のいずれか一方のみを設定しなおしてもよい。
【００５０】
また、１フィールドを１０ＳＦで構成し、全セル初期化動作回数を１回〜３回に制御する例について説明したが、本発明はこれに限定されるものではない。
【００５１】
このように、ＡＰＬが低いときは全セル初期化動作を行う初期化期間を有するサブフィールドの数を減らし、ＡＰＬが高いときは全セル初期化動作を行う初期化期間を有するサブフィールドの数を増やすことによって、安定した高速書込みが可能となり、かつ黒輝度の上昇を抑えたパネルの駆動方法を実現することができる。さらに全セル初期化動作回数を制御する際に、切換えのしきい値にヒステリシス特性をもたせることにより、黒表示領域の輝度が頻繁に変動することを防ぎ、品質のよい画像表示が可能となる。
【産業上の利用可能性】
【００５２】
本発明のパネルの駆動方法は、安定した高速書込みが可能であり、かつ黒輝度の上昇を抑え画像表示品質のよいパネルの駆動が可能となり、プラズマディスプレイパネルを用いた画像表示装置等として有用である。
【図面の簡単な説明】
【００５３】
【図１】本発明の実施の形態１に用いるパネルの要部を示す斜視図
【図２】同パネルの電極配列図
【図３】同パネルの駆動方法を使用したプラズマディスプレイ装置の構成図
【図４】同パネルの各電極に印加する駆動波形図
【図５】同パネルの駆動方法のサブフィールド構成を示す図
【図６】画像信号のＡＰＬの変化の一例とそのときの初期化回数の変化をあらわす図
【図７】本発明の実施の形態２におけるパネルの駆動方法を使用するプラズマディスプレイ装置の構成図
【図８】本発明の実施の形態２においてタイミング発生回路がサブフィールド構成を決めるときの動作を示すフローチャート
【図９】画像信号のＡＰＬの変化の一例とそのときの初期化回数の変化をあらわす図
【図１０】従来のパネルの駆動波形図
【符号の説明】
【００５４】
１    パネル
２    前面基板
３    背面基板
４    走査電極
５    維持電極
９    データ電極
１５    タイミング発生回路
３０    ＡＰＬ検出部
４２    参照ＡＰＬ保持部
４４    禁止幅保持部
【図１】
2005326611.tif 000005
【図２】
2005326611.tif 000006
【図３】
2005326611.tif 000007
【図４】
2005326611.tif 000008
【図５】
2005326611.tif 000009
【図６】
2005326611.tif 000010
【図７】
2005326611.tif 000011
【図８】
2005326611.tif 000012
【図９】
2005326611.tif 000013
【図１０】
2005326611.tif 000014